(57)【特許請求の範囲】
【請求項１】
自動車の異矩形状の窓の内側の直下に取着するロールブラインドであって、
前記自動車の窓の形状にあった形状のブラインド部位と、
該ブラインド部位の基辺から連続して形成された三角形状又は略台形状の捲回部位と、
回転シャフトとを備え、
前記捲回部位が、前記回転シャフトによって前記捲回部位の狭い部位から巻き取られて前記基辺まで捲回されたときに、該回転シャフトの周囲に小径部から順次拡大して大径部まで至る概略テーパー形状のブラインド部位巻取部を形成し、さらに、該捲回部位が、前記ブラインド部位巻取部が前記ブラインド部位を巻き取った場合に、前記ブラインド部位に余剰部位が生じることのないような形状に形成されている、ロールブラインド。
【請求項２】
請求項１のロールブラインドと、
該ロールブラインドを収納するロールブラインド本体と、
該ロールブラインド本体の長手方向に形成されていて前記ロールブラインドを延出する開口部と、
前記ロールブラインドの前記回転シャフトに内装されていて該回転シャフトに回転力を付与するコイルスプリングとを備える、自動車用サイドロールブラインド。
【発明の詳細な説明】
【０００１】
【産業上の利用分野】
本発明は、自動車のサイドの窓にブラインドを張設するための自動車用サイドロールブラインドに関するものであり、更に詳細には、異矩形状の窓に張設するブラインドの余剰部分を残さずにロールブラインド本体に巻き込む自動車用サイドロールブラインドに関するものである。
【０００２】
【従来技術】
従来から、自動車の窓にブラインド或いはカーテンを張設することは行われており、その一つ手段として高級感を醸し出すロールブラインドが用いられており、該ロールブラインドはロールブラインド本体に内装された回転シャフトにブラインドが捲回されており、張設する場合は、前記回転シャフトに内装されたコイルスプリングの弾性に抗してブラインドの先端を手で引っ張って張設し、収納する場合は、コイルスプリングの弾性力を利して回転シャフトの胴周に捲回することで巻き込んでいる。
【０００３】
【解決しようとする課題】
然し乍、自動車のサイドの窓はその殆どが異矩形状に形成されており、つまり、下辺に対して上辺が平行ではなく、又、左辺に対して右辺も平行には形成されおらず、更には、各辺に湾曲部位を有するものもあり、窓の形状に合わせて形成されたブラインドをロールブラインド本体にブラインドを巻き込んだ場合、ブラインドに余剰部位ができてしまいロールブラインド本体の開口部の外にはみ出たまゝに成っていた。
【０００４】
【課題を解決するための手段】
前述の課題に鑑みて、本発明に係るロールブラインドは、自動車の異矩形状の窓の内側の直下に取着するロールブラインドであり、自動車の窓の形状にあった形状のブラインド部位と、ブラインド部位の基辺から連続して形成された三角形状又は略台形状の捲回部位と、回転シャフトとを備え、捲回部位が、回転シャフトによって捲回部位の狭い部位から巻き取られて基辺まで捲回されたときに、回転シャフトの周囲に小径部から順次拡大して大径部まで至る概略テーパー形状のブラインド部位巻取部を形成し、さらに、捲回部位が、ブラインド部位巻取部がブラインド部位を巻き取った場合に、ブラインド部位に余剰部位が生じることのないように、捲回部位が形成されていることを特徴とする。
また、本発明に係る自動車用サイドロールブラインドは、上記のロールブラインドと、ロールブラインドを収納するロールブラインド本体と、ロールブラインド本体の長手方向に形成されていてロールブラインドを延出する開口部と、ロールブラインドの回転シャフトに内装されていて回転シャフトに回転力を付与するコイルスプリングとを備えることを特徴とする。
【０００５】
【発明の目的】
従って、本発明の目的は、異矩形状の窓に張設するブラインドの収納時に、ロールブラインド本体の開口部からブラインドの余剰部位をはみ出すこと無く巻き込める自動車用サイドロールブラインドを提供するものである。
【０００６】
【発明の作用】
本発明は、予め、ブラインドの基辺に三角状の捲回部位を延設し、回転シャフトに捲回部位を捲回させることによって小径部から順次拡径する段部を形成するものであり、又は、回転シャフトをテーパー状に形成しているため異矩形状のブラインドの余剰部位をロールブラインド本体からはみ出すこと無く巻き込みできるものである。
【０００７】
【実施例】
以下、実施例の図面によって、本発明の自動車用サイドロールブラインドを具体的に説明する。
【０００８】
図１は本発明の自動車用サイドロールブラインドの実施例の概要図であり、図２は本発明の自動車用サイドロールブラインドの実施例の捲回部位を捲回させた状態の概要図であり、図３は本発明の自動車用サイドロールブラインドの実施例の巻き込み状態の概要図であり、図４は本発明の自動車用サイドロールブラインドの実施例の誇張させた断面説明図であり、図５は本発明の自動車用サイドロールブラインドの概念を説明するための説明図である。
【０００９】
本発明は、自動車のサイドの窓にブラインド２を張設するための自動車用サイドロールブラインドに関するものであり、更に詳細には、異矩形状の窓に張設するブラインド２の余剰部分を残さずにロールブラインド本体１に巻き込む自動車用サイドロールブラインドに関するものである。本発明の一実施形態に係る自動車用サイドロールブラインドは、自動車の異矩形状の窓の内側直下に取着するロールブラインド本体１と、該ロールブラインド本体１の長手方向に開口させた開口部１ａと、該開口部１ａから延出されるブラインド２と、該ブラインド２の基辺を固定すると共に胴周に捲回させる回転自在の回転シャフト３と、該回転シャフト３に内装され回転力を付与するコイルスプリング４とから成るサイドロールブラインドであって、前記ブラインド２の基辺に三角状又は台形状の捲回部位２ａを形成し、該捲回部位２ａを回転シャフト３に捲回させ小径部３ａから順次拡径する大径部３ｂを設けたものである。
【００１０】
更には、本発明の他の実施形態に係る自動車用サイドロールブラインドは、自動車の異矩形状の窓の内側直下に取着するロールブラインド本体１と、該ロールブラインド本体１の長手方向に開口させた開口部１ａと、該開口部１ａから延出されるブラインド２と、該ブラインド２の基辺を固定すると共に胴周に捲回させる回転自在の回転シャフト３と、該回転シャフト３に内装され回転力を付与するコイルスプリング４とから成るサイドロールブラインドであって、前記回転シャフト３１をテーパー状に形成したものである。
【００１１】
即ち、本発明の自動車用サイドロールブラインドは自動車のサイドの後座席等の異矩形状の窓に好適なもので、ロールブラインド本体１は長手方向の略全長にわたってブラインド２が出入りする開口部１ａを形成しており、更に、ロールブラインド本体１の両端辺には固定用ブラケット（図示しない）を付設して、固定用ブラケットによって窓の内側の直下にビス止め等の手段よって固定するものである。
【００１２】
そして、ブラインド２は窓の形状に合わせて異矩形状に形成した織布、不織布、合成樹脂シート等であり、先端辺には引出すための摘み２ｂと、張設するためにフック等に係止する係止部２ｃを備えているもので、直射日光の遮蔽、外からの視界の遮蔽をするものである。
【００１３】
次いで、回転シャフト３はロールブラインド本体１の両側に回転自在に装着されて内装されているもので、更に、回転シャフト３の内部にはコイルスプリング４を内装しているもので、該コイルスプリング４は一端をロールブラインド本体１側に固定し、他端を回転シャフト３側に固定し、回転シャフト３を回転させることによって、ロールブラインド本体１と回転シャフト３との間に弾性を付与するもので、一般に用いられている公知手段のものである。
【００１４】
そして、本発明の自動車用サイドロールブラインドのブラインド２には、図１に図示する如く、基辺に三角状の捲回部位２ａを形成しているものであり、該捲回部位２ａを予め回転シャフト３に捲回することにより、図４に図示するように、回転シャフト３の胴周に小径部３ａから順次拡径する大径部３ｂを設けているものであり、小径部３ａから順次拡径する大径部３ｂを段部を介して設けることにより回転シャフト３の外形状は図２に図示する如く概略テーパー状となるものであり、又、捲回部位２ａを台形状に形成しても構わないものである。
【００１５】
更に、ブラインド２を巻き込むことによって、図３に図示する如く、概略テーパー状の回転シャフト３の外周に巻取られることにより、従来、余剰部位がはみ出ていた異形状部位のブラインド２もロールブラインド本体１の中に巻き込まれるものである。
【００１６】
更には、請求項２に記載の本発明の自動車用サイドロールブラインドの回転シャフト３１はテーパー状に形成しており、図５に図示する概念図の如く、同心の大円と小円との間の円弧の一部と合致した形状のブラインド２であれば、回転シャフト３１の外形をテーパー状に形成することで余剰部位を残すこと無く巻き込めるものである。
【００１７】
以上の如く構成する本発明の自動車用サイドロールブラインドは、回転シャフトにブラインドの基辺に三角状の捲回部位を形成して捲回させることによって、小径部から順次拡径する段部が形成されることにより、概略テーパー状と成り、更には、回転シャフト自体をテーパー状に形成しており、ブラインドに余剰部位を残すこと無く巻き込めるもので、極めて有意義な効果を奏するものである。
【図面の簡単な説明】
【図１】図１は本発明の自動車用サイドロールブラインドの実施例の概要図である。
【図２】図２は本発明の自動車用サイドロールブラインドの実施例の捲回部位を捲回させた状態の概要図である。
【図３】図３は本発明の自動車用サイドロールブラインドの実施例の巻き込み状態の概要図である。
【図４】図４は本発明の自動車用サイドロールブラインドの実施例の誇張させた断面説明図である。
【図５】図５は本発明の自動車用サイドロールブラインドの概念を説明するための説明図である。
【符号の説明】
１        ロールブラインド本体
１ａ      開口部
２        ブラインド
２ａ      捲回部位
２ｂ      摘み
２ｃ      係止部
３        回転シャフト
３ａ      小径部
３ｂ      大径部
３１      回転シャフト
４        コイルスプリング
【図１】
0004244457.tif 000002
【図２】
0004244457.tif 000003
【図３】
0004244457.tif 000004
【図４】
0004244457.tif 000005
【図５】
0004244457.tif 000006